(57)【要約】【課題】糊付けを行なう手間をなくし、誰でも簡単に封書の作成を行えるようにし、更に広幅の申込用紙が必要な場合でも、ロール形状の用紙を用いて製造できるようにした封筒部付き申込用紙を提供する。【解決手段】横寸法が長く形成された矩形状の申込用紙と、一部に封筒部を有する矩形状の封筒下紙用紙と、がそれぞれ端部同士で重合され、且つ該重合部で接着されて一体化され、更に前記封筒下紙用紙の右端側の領域上に封筒上紙が重ね合わされ、三周縁でコ字状に接着されて封筒部が形成された封筒部付き申込用紙であって、前記封筒下紙用紙の封筒部の開口側の上面には、封緘用の粘着剤層が設けられ、前記粘着剤層上に剥離紙が剥離可能に貼付され、更に前記申込用紙には、該申込用紙の縦寸法が前記封筒部内に封緘可能となるように、該申込用紙から余分な部位を切り取るための切り取り用ミシン目が横方向に形成されている。【選択図】        図１
2010083115.tif 000002
【特許請求の範囲】
【請求項１】
横寸法が長く形成された矩形状の申込用紙と、一部に封筒部を有する矩形状の封筒下紙用紙と、がそれぞれ端部同士で重合され、且つ該重合部で接着されて一体化され、更に前記封筒下紙用紙の右端側の領域上に封筒上紙が重ね合わされ、三周縁でコ字状に接着されて封筒部が形成された封筒部付き申込用紙であって、
前記封筒下紙用紙の封筒部の開口側の上面には、封緘用の粘着剤層が設けられ、前記粘着剤層上に剥離紙が剥離可能に貼付され、更に前記封筒下紙用紙には、前記粘着剤層及び前記封筒部を切り取るための切り取り用ミシン目が縦方向に形成され、
前記申込用紙は、前記封筒下紙用紙との重合部を切り取るための切り取り用ミシン目と、横方向に対して折り畳まれた際に、折り畳まれた該申込用紙が前記封筒部内に封緘可能となる寸法の横幅間隔を空けて、複数本の縦方向の折り畳み用ミシン目が形成され、更に前記申込用紙には、該申込用紙の縦寸法が前記封筒部内に封緘可能となるように、該申込用紙から余分な部位を切り取るための切り取り用ミシン目が横方向に形成されていることを特徴とする封筒部付き申込用紙。
【請求項２】
前記申込用紙には、横方向に形成され切り取り用ミシン目が２本形成され、切り取り用ミシン目の１本目は上端側に形成され、また他の切り取り用ミシン目が下端側に形成されていることを特徴とする請求項１記載の封筒部付き申込用紙。
【請求項３】
前記申込用紙には、横方向に形成され切り取り用ミシン目が、該申込用紙の上端側又は下端側のいずれかに形成されていることを特徴とする請求項１記載の封筒部付き申込用紙。
【発明の詳細な説明】
【技術分野】
【０００１】
本発明は、横寸法が長く形成された矩形状の申込用紙と、一部に封筒部を有する矩形状の封筒下紙用紙と、がそれぞれ端部同士で重合され、且つ該重合部で接着されて一体化されてなる封筒部付き申込用紙に関する。
【背景技術】
【０００２】
従来、入会申込書などの申込書を封書化させて郵送する場合には、図８に示すような、申込者側で、不要部分の切り取りを行い、所定部分に糊付けを行なった後に、巻き折りすることで封書にすることができる巻き折り加工用紙３０が知られている。
これらの巻き折り用紙については、既に種々の仕様のものが知られている。（例えば、特許文献１〜４参照）
【０００３】
【特許文献１】特開２００２−５４３２３号公報
【特許文献２】特開２００３−２００６８０号公報
【特許文献３】特開２００３−４３２７１５号公報
【特許文献４】特開２００６−４４０８０号公報
【０００４】
これらの巻き折り加工用紙は、誰でも気軽に申込が行なえるようにするために、誰でもできるだけ簡単に封書作成を行えるようにした仕様とすることが好ましい。
つまり、指定された巻き折り加工用紙を使用して申し込みを行なう際に、その巻き折り加工用紙で封書を作成する方法が、面倒であったり、どのように封書を作成したらよいのかわかりにくい場合には、申し込みをしようとする気持ちが失せてしまうこともあり、その結果として、主催者側が期待したように申込者が集まらない原因になるという問題が考えられる。
【０００５】
また、従来、横幅の広い申込用紙などの帳票は、ロール形状の用紙ではなく、枚葉形状の用紙を使って製品を製造しているが、広い面積でのプリント印字が必要になると対応できない。
一般的にロール形状の用紙で印字加工などを行なう場合には、横幅で１８インチ程度が最大であり、これ以上の広幅については、設備的に製造ができないという問題がある。
【発明の開示】
【発明が解決しようとする課題】
【０００６】
そこで、本発明は、所定部分に糊付けを行なう手間をなくし、誰でも気軽に申し込みを行うことができるように、簡単に封書の作成を行えるようにし、更に広幅の申込用紙が必要な場合でも、ロール形状の用紙を用いて製造できるようにした封筒部付き申込用紙を提供する。
【課題を解決するための手段】
【０００７】
本発明の封筒部付き申込用紙は、横寸法が長く形成された矩形状の申込用紙と、一部に封筒部を有する矩形状の封筒下紙用紙と、がそれぞれ端部同士で重合され、且つ該重合部で接着されて一体化され、更に前記封筒下紙用紙の右端側の領域上に封筒上紙が重ね合わされ、三周縁でコ字状に接着されて封筒部が形成された封筒部付き申込用紙であって、前記封筒下紙用紙の封筒部の開口側の上面には、封緘用の粘着剤層が設けられ、前記粘着剤層上に剥離紙が剥離可能に貼付され、更に前記封筒下紙用紙には、前記粘着剤層及び前記封筒部を切り取るための切り取り用ミシン目が縦方向に形成され、前記申込用紙は、前記封筒下紙用紙との重合部を切り取るための切り取り用ミシン目と、横方向に対して折り畳まれた際に、折り畳まれた該申込用紙が前記封筒部内に封緘可能となる寸法の横幅間隔を空けて、複数本の縦方向の折り畳み用ミシン目が形成され、更に前記申込用紙には、該申込用紙の縦寸法が前記封筒部内に封緘可能となるように、該申込用紙から余分な部位を切り取るための切り取り用ミシン目が横方向に形成されていることを特徴とする。
【０００８】
また、本発明の封筒部付き申込用紙は、前記申込用紙には、横方向に形成され切り取り用ミシン目が２本形成され、切り取り用ミシン目の１本目は上端側に形成され、また他の切り取り用ミシン目が下端側に形成されていることを特徴とする。
【０００９】
更に、本発明の封筒部付き申込用紙は、前記申込用紙には、横方向に形成され切り取り用ミシン目が、該申込用紙の上端側又は下端側のいずれかに形成されていることを特徴とする。
【発明の効果】
【００１０】
本発明の封筒部付き申込用紙は、予め封筒部が形成されているので、利用者が所定部分に糊付けを行なう手間がなく、誰でも気軽に申し込みを行うことができ、簡単に封書の作成を行え、更に、横寸法が長く形成された矩形状の申込用紙と、一部に封筒部を有する矩形状の封筒下紙用紙と、がそれぞれ端部同士で重合され、且つ該重合部で接着されて一体化されているので、広幅の申込用紙が必要な場合でも、ロール形状の用紙を用いて製造できるという効果がある。
【発明を実施するための最良の形態】
【００１１】
以下、本発明の実施形態に係る封筒部付き申込用紙を図面に基づいて詳細に説明する。
図１は、本発明の実施形態に係る封筒部付き申込用紙の平面図、図２は、本発明の実施形態に係る封筒部付き申込用紙であって、封筒下紙から封筒上紙を剥離させた状態を示す平面図、図３は、図１のＡ−Ａ線断面図、図４は、本発明の実施形態に係る封筒部付き申込用紙の使用方法を説明する図、図５は、本発明の実施形態に係る封筒部付き申込用紙の使用方法を説明する図であって、申込用紙を封筒部に封入する状態を示す斜視図、図６は、本発明の実施形態に係る封筒部付き申込用紙の使用方法を説明する図であって、申込用紙を封筒部に封緘させた後の状態を示す斜視図、図７は、本発明の他の実施形態に係る封筒部付き申込用紙の平面図、図８は、従来から知られている巻き折り加工用紙の平面図である。
【００１２】
実施形態に係る封筒部付き申込用紙１は、横寸法が長く形成された矩形状の申込用紙２と、一部に封筒部を有する矩形状の封筒下紙用紙３と、がそれぞれ端部同士で重合され、且つ該重合部で接着剤４により接着されて一体化されている。
矩形状の封筒下紙用紙３は、封筒部３ａを形成する封筒下部片になる部分と、その他の用紙部分片３ｂとを有している。
封筒部３ａを形成する封筒下部片になる部分と、その他の用紙部分片との間には、切り取り用ミシン目６が形成されている。
申込用紙２の表面には、申込みに必要な事項を記入するための記入欄などが予め印刷されており、また、封筒下紙用紙３の表面には、各種の説明文や、この封筒部付き申込用紙１を使用する際に参考となる使用説明事項などが予め印刷されている。
【００１３】
封筒下紙用紙３の右端側の領域上には、封筒上紙５が重ね合わされ、三周縁でコ字状に塗布された接着剤８により接着されて左側で一辺開口の封筒部３ａが形成されている。
また、封筒下紙用紙３の上面であって、封筒部３ａの開口側に沿った領域には、封筒部３ａの封緘用の粘着剤層９が設けられている。
そして、その粘着剤層９上には、剥離紙７が剥離可能に貼付されている。
また、封筒下紙用紙３において、封筒部３ａの開口部と粘着剤層９が塗布されている領域との間の部分には、縦方向に折り畳み用ミシン目１０が形成されている。
これにより、封筒部３ａを使用する際に、封筒下紙用紙３に形成された切り取り用ミシン目６から封筒部３ａを切り取った後に、剥離紙７を剥離させて粘着剤層９を表出させ、その粘着剤層９を用いて、折り畳み用ミシン目１０から折り畳んだ用紙片を接着させて開口部を密封状態にすることができる。
【００１４】
また、矩形状の封筒下紙用紙３の中で、封筒部３ａを形成する封筒下部片になる部分以外のその他の用紙部分片３ｂは、縦方向に形成された複数の折り畳み用ミシン目１１，１２，１３により複数に区分けされており、複数の折り畳み用ミシン目同士の横幅方向の間隔が、封筒部３ａを形成する封筒下部片の横幅方向の間隔と略同じ寸法となるように形成されている。
【００１５】
次に、申込用紙２には、封筒下紙用紙３との重合部を切り取るための切り取り用ミシン目１４が形成されている。
また、申込用紙２には、横方向に対して折り畳まれた際に、折り畳まれた該申込用紙が封筒部３ａ内に封緘可能となるように、封緘できる寸法の横幅間隔を空けて、複数本の縦方向の折り畳み用ミシン目１５，１６，１７が形成されている。
更に申込用紙２には、該申込用紙２の縦寸法が，封筒部３ａ内に封緘可能となるように、該申込用紙２から余分な部位を切り取るための切り取り用ミシン目１８，１９が横方向に形成されている。
つまり、申込用紙２は、切り取り用ミシン目１４から封筒下紙用紙３との重合部を切り取り、更に切り取り用ミシン目１８，１９から余分な部分を切り取った後、折り畳み用ミシン目１５，１６，１７も基づいて巻き折りさせたサイズが、封筒部３ａ内に収まるように構成されており、巻き折りさせたサイズが封筒部３ａ内に収まる条件を達成するようであれば、切り取り用ミシン目１８，１９をどの位置に形成してもよい。
【００１６】
また、図７には、本発明の他の実施形態に係る封筒部付き申込用紙１ａとして、申込用紙２において横方向の切り取り用ミシン目２０を１本だけ形成させた例が示されている。
この場合には、申込用紙２に形成された横方向の切り取り用ミシン目２０から下方部分を切り離した際に、その残りの上方部分を巻き折りさせたサイズが、封筒部３ａ内に収まる条件を達成するように、切り取り用ミシン目２０の形成位置が定められている。
従って、上記の条件を達成するようであれば、申込用紙２において横方向に形成する切り取り用ミシン目を１本でも２本でもかまわない。
【００１７】
次に、図４〜図６に基づいて、本発明の実施形態に係る封筒部付き申込用紙１の使用方法を説明する。
封筒部付き申込用紙１の使用者は、封筒下紙用紙３の表面に記載されている、各種の説明文や、この封筒部付き申込用紙１を使用する際に参考となる使用説明事項などを読んで理解した後に、申込用紙２上に申込みに必要な事項を記入する。
そして、図４に示すように、封筒部付き申込用紙１について、切り取り用ミシン目６から封筒部３ａを切り取り、更に、切り取り用ミシン目１４から封筒下紙用紙３との重合部を切り取ることで、封筒部３ａと申込用紙２とを切り離す。
次に、申込用紙２について、切り取り用ミシン目１８，１９から上下部分にある余分な部分を切り取った後、折り畳み用ミシン目１５，１６，１７も基づいて巻き折りさせる。
【００１８】
次に、図５に示すように、巻き折りした申込用紙２を封筒部３ａの開口部から封入させた後に、封筒部３ａに設けられた剥離紙７を剥離させて粘着剤層９を表出させる。
そして、折り畳み用ミシン目１０から粘着剤層９が塗布されている紙片部分を折り畳んで、粘着剤層９により封筒上紙５上に貼付させる。
これにより、図６に示すような密封された封書が作成される。
この封書の表面には、予め宛先情報を印刷しておくことが好ましい。
【００１９】
以上により、使用者は、所定部分に糊付けを行なう手間がなく、誰でも気軽に申込用紙を使用して申し込みを行うことができ、簡単に封書の作成を行えるように構成されている。
更に、横寸法が長く形成された矩形状の申込用紙と、一部に封筒部を有する矩形状の封筒下紙用紙と、がそれぞれ端部同士で重合され、且つ該重合部で接着されて一体化されているので、広幅の申込用紙が必要な場合でも、ロール形状の用紙を用いて製造できる。
【図面の簡単な説明】
【００２０】
【図１】本発明の実施形態に係る封筒部付き申込用紙の平面図である。
【図２】本発明の実施形態に係る封筒部付き申込用紙であって、封筒下紙から封筒上紙を剥離させた状態を示す平面図である。
【図３】図１のＡ−Ａ線断面図である。
【図４】本発明の実施形態に係る封筒部付き申込用紙の使用方法を説明する図である。
【図５】本発明の実施形態に係る封筒部付き申込用紙の使用方法を説明する図であって、申込用紙を封筒部に封入する状態を示す斜視図である。
【図６】本発明の実施形態に係る封筒部付き申込用紙の使用方法を説明する図であって、申込用紙を封筒部に封緘させた後の状態を示す斜視図である。
【図７】本発明の他の実施形態に係る封筒部付き申込用紙の平面図である。
【図８】従来から知られている巻き折り加工用紙の平面図である。
【符号の説明】
【００２１】
１  実施形態に係る封筒部付き申込用紙
１ａ
２  申込用紙
３  封筒下紙用紙
３ａ  封筒部
３ｂ  その他の用紙部分片
４，８  接着剤
５  封筒上紙
６  切り取り用ミシン目
７  剥離紙
９  粘着剤層
１０，１１，１２，１３，１５，１６，１７  折り畳み用ミシン目
１４，１８，１９，２０  切り取り用ミシン目
３０  従来の巻き折り加工用紙
【図１】
2010083115.tif 000003
【図２】
2010083115.tif 000004
【図３】
2010083115.tif 000005
【図４】
2010083115.tif 000006
【図５】
2010083115.tif 000007
【図６】
2010083115.tif 000008
【図７】
2010083115.tif 000009
【図８】
2010083115.tif 000010